(57)【要約】【課題】簡単な回路構成で、周囲温度も考慮して、レーザダイオードの駆動電流を制限するためのリミット電圧を常に最適にすることができるレーザダイオード制御回路を提供する。【解決手段】例えば再生操作がされると、レーザダイオードが駆動し、周囲温度が温度センサにより検知され、温度センサから温度検知信号が出力される。そして、温度検知信号は、Ａ／Ｄポートによりデジタルの温度検知データに変換される。レーザダイオードが駆動している間に周囲温度が上昇していき、周囲温度が例えば常温より上がったことがマイコンにより検知されると、レジスタ制御回路の制御により、リミット電圧が低く設定される。したがって、周囲温度が上昇して、レーザダイオードに多くの順方向電流を流そうとするが、リミット電圧が低下するため、順方向電流を制限することができる。【選択図】図１
2008108363.tif 000002
【特許請求の範囲】
【請求項１】
光ディスクに照射するレーザ光を出射するレーザダイオードと、このレーザダイオードから出射されるレーザ光の光量を検出するためのフォトダイオードとを含み構成された光ピックアップユニットにおける前記レーザダイオードの駆動電流を制御するレーザダイオード制御回路であって、
前記レーザダイオードの周囲温度を検出するための温度センサを前記レーザダイオードの近傍に配置し、
前記温度センサからの温度検知信号をデジタルの温度検知データに変換するアナログ／デジタル変換手段と、
前記フォトダイオードに流れた電流により発生した電圧を増幅する増幅手段と、
リミット電圧を変化させるための複数のレジスタを有し、入力された温度検知データに従って前記複数のレジスタのうちの選択されたレジスタに基づいて前記増幅手段の出力電圧を制限してリミット電圧を、前記レーザダイオードを駆動させる駆動素子の制御端子に与えるリミッタと、
前記リミッタの複数のレジスタのうちの何れかのレジスタを選択するための前記温度検知データを出力するレジスタ制御手段と、
前記アナログ／デジタル変換手段からの温度検知データに基づいて前記リミッタのリミッタ電圧が前記レーザダイオードの駆動電流により破壊されないような電圧値に設定されるように前記レジスタ制御手段を制御して適切なレジスタを選択させるデータ処理手段とを備えたことを特徴とするレーザダイオード制御回路。
【請求項２】
光ディスクに照射するレーザ光を出射するレーザダイオードと、このレーザダイオードから出射されるレーザ光の光量を検出するためのフォトダイオードとを含み構成された光ピックアップユニットにおける前記レーザダイオードの駆動電流を制御するレーザダイオード制御回路であって、
前記レーザダイオードの周囲温度を検出するための温度センサを前記レーザダイオードの近傍に配置し、
前記レーザダイオードを駆動させる駆動素子へのリミット電圧を前記温度センサからの温度検知信号に基づいて変化させるリミッタを備えたことを特徴とするレーザダイオード制御回路。
【請求項３】
前記温度センサからの温度検知信号をデジタルの温度検知データに変換するアナログ／デジタル変換手段と、前記フォトダイオードに流れた電流により発生した電圧を増幅する増幅手段と、リミット電圧を変化させるための複数のレジスタを有し、入力された温度検知データに従って前記複数のレジスタのうちの選択されたレジスタに基づいて前記増幅手段の出力電圧を制限してリミット電圧を、前記レーザダイオードを駆動させる駆動素子の制御端子に与えるリミッタと、前記リミッタの複数のレジスタのうちの何れかのレジスタを選択するための前記温度検知データを出力するレジスタ制御手段と、前記アナログ／デジタル変換手段からの温度検知データに基づいて前記リミッタのリミッタ電圧が前記レーザダイオードの駆動電流により破壊されないような電圧値に設定されるように前記レジスタ制御手段を制御して適切なレジスタを選択させるデータ処理手段とを備えたことを特徴とする請求項２に記載のレーザダイオード制御回路。
【発明の詳細な説明】
【技術分野】
【０００１】
本発明は、ＤＶＤプレイヤやＤＶＤレコーダなどの光ディスク装置に備えられている光ピックアップユニットのレーザダイオードの駆動電流を制御するレーザダイオード制御回路に関する。
【背景技術】
【０００２】
ＤＶＤプレイヤやＤＶＤレコーダなどの光ディスク装置は、光ピックアップユニットのレーザダイオードからのレーザ光を光ディスク（ＤＶＤ等）に集光させ、集光点の光学特性を変化させ、あるいは変化した集光点の光学特性を検出することにより、光ディスクに対して情報を記録あるいは再生するように構成されている。
【０００３】
ところで、レーザダイオードは、周囲温度が上昇した場合、発光効率が低下するため、所望の一定発光量が得られるように、レーザダイオード制御回路により、レーザダイオードへの順方向電流を増加させて対応している。この場合、レーザダイオードは、動作中において接合部の温度が上昇すると、順方向電流が大きくなり、この電流値が所定値を超えた場合には劣化が急速に進行し、この結果、レーザダイオードの寿命が著しく短縮されたり、また、順方向電流が過剰電流になったときには、レーザダイオードが破壊されたりする。
【０００４】
そこで、特許文献１に記載の光ディスク装置では、装置内にＣＰＵ、温度センサ、タイマなどを有し、レーザダイオードが消灯状態から点灯状態あるいは発光状態から記録／消去パワーでの発光状態に遷移した時点からの時間経過に準じて、タイマに設定するインターバル時間を可変とし、ＣＰＵは、このインターバル時間毎に温度センサによりレーザダイオードの温度を検出し、レーザダイオードの駆動電流を調整するようにしている。
【０００５】
また、特許文献２に記載の光ピックアップのレーザダイオード出力調整回路では、レーザダイオードの駆動電流を制御するトランジスタと、このトランジスタのベースに流れる電流を制限する電流リミッタを備え、レーザダイオードモジュールに内蔵されている温度センサに基づく出力電圧と所定の電圧基準レベルとを比較し、この比較結果により電流リミッタをフィードバック制御して、レーザダイオードの駆動電流に一定の制限をかけるようにしている。
【０００６】
また、特許文献３に記載の光ディスク装置用高温保護回路では、レーザダイオードへ電流を供給するトランジスタを介して流れるレーザダイオードへの供給電流と、温度センサで検出したレーザダイオードの周囲温度とに基づいて、レーザダイオードへの供給電流が上限電流値を超えたとき、またはレーザダイオードの周囲温度が補償上限温度を超えたときには、レーザダイオードへの供給電流を遮断するように主回路が一定光出力制御回路を制御し、レーザダイオードへの電流を供給するトランジスタをオフするようにしている。
【特許文献１】特開平６−３６３２７号公報
【特許文献２】特開２００４−３５５６９７号公報
【特許文献３】特開２００６−７９７２８号公報
【発明の開示】
【発明が解決しようとする課題】
【０００７】
しかしながら、特許文献１に記載の光ディスク装置は、インターバル時間毎に温度センサによりレーザダイオードの温度を検出し、レーザダイオードの駆動電流を調整するようにしているが、周囲温度の変化があっても、レーザパワーを一定に保持しようとすると、このときのレーザダイオードの駆動電流がレーザダイオードを破壊する電流値であれば、レーザダイオードが破壊されるという課題がある。
【０００８】
また、特許文献２に記載の光ピックアップのレーザダイオード出力調整回路は、温度センサに基づく出力電圧と所定の電圧基準レベルとを比較し、この比較結果により電流リミッタをフィードバック制御して、レーザダイオードの駆動電流に一定の制限をかけるようにしているが、即ち、レーザダイオードモジュールの温度が上昇して、この温度上昇を温度センサが検知し、所定処理により結果的に異常データを受信した電流リミッタは、レーザダイオードの駆動電流が必要以上に増加したと認識し、レーザダイオードの駆動電流の増加を停止させているが、電流リミッタは、どのような手段により、レーザダイオードの駆動電流を必要以上に増加したということを認識するのかが不明であり、また、回路構成が複雑であるという課題がある。
【０００９】
また、特許文献３に記載の光ディスク装置用高温保護回路は、レーザダイオードへの供給電流と、温度センサで検出したレーザダイオードの周囲温度とに基づいて、レーザダイオードへの供給電流が上限電流値を超えたとき、またはレーザダイオードの周囲温度が補償上限温度を超えたときには、レーザダイオードへの供給電流を遮断するように主回路が一定光出力制御回路を制御し、レーザダイオードへの電流を供給するトランジスタをオフするようにしているが、レーザダイオードへの供給電流が遮断されている間、レーザダイオードが動作しないことになるので、光ディスク装置は、再生動作を行うことができないので、光ディスク装置にとっては効率の悪い処理を行うという課題が生じ、また、この従来技術の回路構成が複雑であるという課題が生じる。
【００１０】
本発明は、上記のような課題を解決するためになされたもので、簡単な回路構成で、周囲温度も考慮して、レーザダイオードの駆動電流を制限するためのリミット電圧を常に最適にすることができるレーザダイオード制御回路を提供することを目的とする。
【課題を解決するための手段】
【００１１】
上記目的を達成するために、請求項１の発明は、光ディスクに照射するレーザ光を出射するレーザダイオードと、このレーザダイオードから出射されるレーザ光の光量を検出するためのフォトダイオードとを含み構成された光ピックアップユニットにおける前記レーザダイオードの駆動電流を制御するレーザダイオード制御回路であって、前記レーザダイオードの周囲温度を検出するための温度センサを前記レーザダイオードの近傍に配置し、前記温度センサからの温度検知信号をデジタルの温度検知データに変換するアナログ／デジタル変換手段と、前記フォトダイオードに流れた電流により発生した電圧を増幅する増幅手段と、リミット電圧を変化させるための複数のレジスタを有し、入力された温度検知データに従って前記複数のレジスタのうちの選択されたレジスタに基づいて前記増幅手段の出力電圧を制限してリミット電圧を、前記レーザダイオードを駆動させる駆動素子の制御端子に与えるリミッタと、前記リミッタの複数のレジスタのうちの何れかのレジスタを選択するための前記温度検知データを出力するレジスタ制御手段と、前記アナログ／デジタル変換手段からの温度検知データに基づいて前記リミッタのリミッタ電圧が前記レーザダイオードの駆動電流により破壊されないような電圧値に設定されるように前記レジスタ制御手段を制御して適切なレジスタを選択させるデータ処理手段とを備えたことを特徴とするレーザダイオード制御回路を提供する。
【００１２】
この構成において、例えば再生操作がされると、レーザダイオードが駆動し、レーザダイオードの周囲温度が温度センサにより検知され、温度センサから温度検知信号が出力される。そして、その温度検知信号は、アナログ／デジタル変換手段により、デジタルの温度検知データに変換される。また、フォトダイオードに流れた電流により発生した電圧が増幅手段により増幅される。
【００１３】
そして、レーザダイオードが駆動している間に周囲温度が上昇していき、レーザダイオードの周囲温度が常温より上がったことがデータ処理手段により検知されると、レジスタ制御手段の制御により、リミット電圧が低く設定される。したがって、周囲温度が上昇して、レーザダイオードに多くの順方向電流を流そうとするが、リミット電圧が低下するため、レーザダイオードの順方向電流を制限することができ、これにより、レーザダイオードは、過剰電流により破壊されるようなことはない。
【００１４】
この構成によれば、周囲温度も考慮して、レーザダイオードの駆動電流を制限するためのリミット電圧を常に最適にすることができる。即ち、周囲温度が上昇して、レーザダイオードに多くの順方向電流を流そうとするが、リミット電圧が低下するため、レーザダイオードの順方向電流を制限することができる。したがって、レーザダイオードは、過剰電流により破壊されるようなことはない。また、周囲温度も考慮して、リミット電圧を変化させることができるので、周囲温度を考慮しない場合において、常温状態では、意味を成さなかったリミット電圧が効くようになり、レーザダイオードの破壊を起こり難くする。また、回路構成は簡単であるので、光ディスク装置のコストダウンを図れる。また、レーザダイオードへの供給電流が遮断されるようなことはないので、光ディスク装置は、再生動作を効率良く行うことができる。
【００１５】
請求項２の発明は、光ディスクに照射するレーザ光を出射するレーザダイオードと、このレーザダイオードから出射されるレーザ光の光量を検出するためのフォトダイオードとを含み構成された光ピックアップユニットにおける前記レーザダイオードの駆動電流を制御するレーザダイオード制御回路であって、前記レーザダイオードの周囲温度を検出するための温度センサを前記レーザダイオードの近傍に配置し、前記レーザダイオードを駆動させる駆動素子へのリミット電圧を前記温度センサからの温度検知信号に基づいて変化させるリミッタを備えたことを特徴とするレーザダイオード制御回路を提供する。
【００１６】
この構成において、例えば再生操作がされると、レーザダイオードが駆動し、レーザダイオードの周囲温度が温度センサにより検知され、温度センサから温度検知信号が出力される。そして、その温度検知信号に基づいて、リミッタの出力であるリミット電圧が設定される。したがって、周囲温度が上昇して、レーザダイオードに多くの順方向電流を流そうとするが、リミット電圧が低下するため、レーザダイオードの順方向電流を制限することができ、これにより、レーザダイオードは、過剰電流により破壊されるようなことはない。
【００１７】
この構成によれば、周囲温度も考慮して、レーザダイオードの駆動電流を制限するためのリミット電圧を常に最適にすることができる。即ち、周囲温度が上昇して、レーザダイオードに多くの順方向電流を流そうとするが、リミット電圧が低下するため、レーザダイオードの順方向電流を制限することができる。したがって、レーザダイオードは、過剰電流により破壊されるようなことはない。また、周囲温度も考慮して、リミット電圧を変化させることができるので、周囲温度を考慮しない場合において、常温状態では、意味を成さなかったリミット電圧が効くようになり、レーザダイオードの破壊を起こり難くする。また、回路構成は簡単であるので、光ディスク装置のコストダウンを図れる。また、レーザダイオードへの供給電流が遮断されるようなことはないので、光ディスク装置は、再生動作を効率良く行うことができる。
【００１８】
請求項３の発明では、請求項２の発明において、前記温度センサからの温度検知信号をデジタルの温度検知データに変換するアナログ／デジタル変換手段と、前記フォトダイオードに流れた電流により発生した電圧を増幅する増幅手段と、リミット電圧を変化させるための複数のレジスタを有し、入力された温度検知データに従って前記複数のレジスタのうちの選択されたレジスタに基づいて前記増幅手段の出力電圧を制限してリミット電圧を、前記レーザダイオードを駆動させる駆動素子の制御端子に与えるリミッタと、前記リミッタの複数のレジスタのうちの何れかのレジスタを選択するための前記温度検知データを出力するレジスタ制御手段と、前記アナログ／デジタル変換手段からの温度検知データに基づいて前記リミッタのリミッタ電圧が前記レーザダイオードの駆動電流により破壊されないような電圧値に設定されるように前記レジスタ制御手段を制御して適切なレジスタを選択させるデータ処理手段とを備えたことを特徴とする。
【００１９】
この構成において、例えば再生操作がされると、レーザダイオードが駆動し、レーザダイオードの周囲温度が温度センサにより検知され、温度センサから温度検知信号が出力される。そして、その温度検知信号は、アナログ／デジタル変換手段により、デジタルの温度検知データに変換される。また、フォトダイオードに流れた電流により発生した電圧が増幅手段により増幅される。
【００２０】
そして、レーザダイオードが駆動している間に周囲温度が上昇していき、レーザダイオードの周囲温度が常温より上がったことがデータ処理手段により検知されると、レジスタ制御手段の制御により、リミット電圧が低く設定される。したがって、周囲温度が上昇して、レーザダイオードに多くの順方向電流を流そうとするが、リミット電圧が低下するため、レーザダイオードの順方向電流を制限することができ、これにより、レーザダイオードは、過剰電流により破壊されるようなことはない。
【発明の効果】
【００２１】
以上のように本発明によれば、周囲温度も考慮して、レーザダイオードの駆動電流を制限するためのリミット電圧を常に最適にすることができる。即ち、周囲温度が上昇して、レーザダイオードに多くの順方向電流を流そうとするが、リミット電圧が低下するため、レーザダイオードの順方向電流を制限することができる。したがって、レーザダイオードは、過剰電流により破壊されるようなことはない。また、周囲温度も考慮して、リミット電圧を変化させることができるので、周囲温度を考慮しない場合において、常温状態では、意味を成さなかったリミット電圧が効くようになり、レーザダイオードの破壊を起こり難くする。また、回路構成は簡単であるので、光ディスク装置のコストダウンを図れる。また、レーザダイオードへの供給電流が遮断されるようなことはないので、光ディスク装置は、再生動作を効率良く行うことができる。
【発明を実施するための最良の形態】
【００２２】
以下、添付図面を参照しつつ、本発明の実施の形態について説明する。図１は本発明の一実施形態に係るレーザダイオード制御回路および光ピックアップユニットの構成を示すブロック図である。
【００２３】
図１において、レーザダイオード制御回路１は、光ディスク装置のメインＩＣ（集積回路）に含まれ、増幅器２、リミッタ３、レジスタ制御回路４、マイコン（マイクロコンピュータ）５、およびＡ／Ｄポート６を備えている。増幅器２の入力端は入力端子１８に接続され、その出力端はリミッタ３の入力端に接続されている。リミッタ３の出力端は出力端子１６に接続されている。Ａ／Ｄポート６の入力端は入力端子１７に接続され、その出力端はマイコン５の入力端に接続されている。マイコン５の出力端はレジスタ制御回路４の入力端に接続され、レジスタ制御回路４の出力端はリミッタ３の可変基準電圧設定回路１２（図２参照）の入力端に接続されている。
【００２４】
光ピックアップユニット２１は、レーザダイオード２２、フォトダイオード２３、および抵抗２４を備えている。レーザダイオード制御回路１の出力端子１６は、抵抗２６を介してＰＮＰ形のトランジスタ２０のベースに接続されている。レーザダイオード制御回路１の入力端子１７は、光ピックアップユニット２１の温度センサ２５に接続されている。レーザダイオード制御回路１の入力端子１８は、光ピックアップユニット２１の抵抗２４とフォトダイオード２３のアノードとの接続点に接続されている。
【００２５】
光ピックアップユニット２１において、温度センサ２５はレーザダイオード２２の近傍に配置されている。レーザダイオード２２のカソードは接地され、そのアノードはトランジスタ２０のコレクタに接続されている。トランジスタ２０のエミッタには、抵抗１９を介して電源が供給されている。フォトダイオード２３のカソードは接地され、そのアノードは抵抗２４の一端に接続されている。また、抵抗２４の一端はレーザダイオード制御回路１の入力端子１８に接続され、その他端は接地されている。
【００２６】
図２は図１で示したレーザダイオード制御回路の詳細な回路構成および光ピックアップユニットの回路構成を示すブロック図である。
【００２７】
図２に示すレーザダイオード制御回路１において、リミッタ３は、抵抗８、抵抗９、比較器１０、ダイオード１１、および可変基準電圧設定回路１２を備えている。抵抗８の一端は増幅器２の出力端に接続され、抵抗８の他端は出力端子１６に接続されると共に抵抗９の一端およびダイオード１１のアノードに接続されている。抵抗９の他端は比較器１０の反転入力端子に接続されている。比較器１０の出力端は、ダイオード１１のカソードに接続されている。比較器１０の非反転入力端子は、可変基準電圧設定回路１２の出力端に接続されている。可変基準電圧設定回路１２の入力端は、レジスタ制御回路４に接続されている。なお、このリミッタ３の回路は一例であるので、これに限ることはない。
【００２８】
マイコン５は、このレーザダイオード制御回路１が搭載される光ディスク装置全体を制御するＣＰＵ１３と、ＣＰＵ１３での演算や処理に必要なプログラムやデータが記憶されているフラッシュＲＯＭ１４と、ＣＰＵ１３での演算や処理に必要なデータを一時的に格納するＲＡＭ１５とを備えている。
【００２９】
可変基準電圧設定回路１２は、等価的に可変抵抗として作用する複数のレジスタ（抵抗）を有し、これらのレジスタは、レジスタ制御回路４からの温度検知データにより接続が変えられ、比較器１０の非反転入力端子に与えられる基準電圧を変える。したがって、リミッタ３としては、出力されるリミット電圧を変化させることが可能になる。例えば、等価的に考えると、可変抵抗の一端が接地され、その他端が抵抗を介して電源に接続され、可変抵抗と抵抗との接続点からの電圧を基準電圧として比較器１０の非反転入力端子に与えると、レジスタ制御回路４からの温度検知データにより可変抵抗の抵抗値を変化させることにより、基準電圧が変化し、結果としてリミット電圧が変化することになる。
【００３０】
レジスタ制御回路４の温度検知データを発生させるには、ＣＰＵ１３がＲＡＭ１５の所定のアドレス（例えば、０ｘ０００Ａ）を用い、このアドレスに、例えば、０ｘ００００の温度検知データを格納すると、レジスタ制御回路４は、この温度検知データにより、可変基準電圧設定回路１２の図示しないレジスタ（抵抗）を選択して、リミッタ電圧が例えば２．４Ｖになるように制御する。また、そのアドレスに、例えば、０ｘ０００１の温度検知データを格納すると、レジスタ制御回路４は、この温度検知データにより、可変基準電圧設定回路１２のレジスタを選択して、リミッタ電圧が例えば２．２Ｖになるように制御する。更に、そのアドレスに、例えば、０ｘ０００２の温度検知データを格納すると、レジスタ制御回路４は、このレジスタ制御信号により、可変基準電圧設定回路１２のレジスタを選択して、リミッタ電圧が例えば２．０Ｖになるように制御する。
【００３１】
ここで、リミッタ３の動作について説明しておく。このリミッタ３は、正の電圧を制限するポジティブ・リミッタであり、比較器１０は、理想のツェナダイオードと等価な動作を行う。ツェナ電圧に相当する電圧は、比較器１０の非反転入力端子に与えられる基準電圧によって作成される。入力端子１８より入力されたフォトダイオード２３の電流による抵抗２４間の電圧（光出力制御電圧）が、出力端子１６から出力されるリミット電圧以下のとき、比較器１０の非反転入力端子の電位が、その反転入力端子の電位に比べて高くなるので、比較器１０の出力電圧は、比較器１０の電源電圧付近まで上り、ダイオード１１によりカットされる。したがって、リミッタ３では、比較器１０が存在しない回路と等価になり、この場合、出力端子１６から出力されるリミッタ電圧は変化しない。
【００３２】
入力端子１８より入力されたフォトダイオード２３の電流による抵抗２４間の電圧（光出力制御電圧）が、出力端子１６から出力されるリミット電圧を超えるとき、比較器１０の非反転入力端子の電位が、その反転入力端子の電位に比べて低くなるので、比較器１０の出力電圧は下がり、出力端子１６への電流の一部はダイオード１１により吸い込まれる。この結果、出力端子１６から出力されるリミッタ電圧は低下する。
【００３３】
即ち、レーザダイオード２２のレーザパワーが所定パワーよりも大きくなれば、レーザパワーを所定パワーに戻すため、前述した動作により、出力端子１６から出力されるリミット電圧が低下し、これにより、トランジスタ２０は、レーザダイオード２２に流れている順方向電流を少なくし、この結果、レーザダイオード２２のレーザパワーが所定パワーに戻る。これにより、レーザダイオード２２を過電流による破壊を防止することができる。しかし、この動作は、レーザダイオード２２の温度変化による順方向電流の変化を考慮していないので、後で述べるように、レーザダイオード２２の周囲温度の変化によりリミッタ３のリミット電圧を変化させる制御が必要となる。
【００３４】
図３は本実施形態においてレーザダイオード２２の周囲温度における順方向電流に対する光出力特性を説明するための図である。光ディスクの再生動作においては、光ディスクに照射するレーザ光を出射するレーザダイオード２２の光出力Ｐｏは、一般に、周囲温度Ｔｃの高低に関係なく常に一定であることが必要であり、したがって、レーザ光を出射するレーザダイオード２２の光出力Ｐｏは、周囲温度Ｔｃの高低に関係なく常に一定であることが求められる。しかし、レーザダイオード２２の実際の特性は図３に示すように、順方向電流Ｉｆを一定とした場合、周囲温度Ｔｃが高くなるほど光出力Ｐｏは低下する。したがって、この光出力Ｐｏを一定値に保持するために順方向電流Ｉｆを増加させる必要がある。そこで、レーザダイオード制御回路１は、レーザダイオード２２の光量をフォトダイオード２３で検出し、この検出結果に基づいてレーザダイオード２２の順方向電流Ｉｆが常に一定に保持されるように制御している。
【００３５】
但し、本実施形態では、レーザダイオード２２に流れる順方向電流が過剰電流によりレーザダイオード２２が破壊しないように、リミッタ３によるリミッタ電圧を常に最適にしている。したがって、レーザダイオード２２の光出力Ｐｏは、周囲温度Ｔｃの高低に関係なく常に一定であることが望ましいが、光出力Ｐｏは、記録や再生に影響しない範囲であれば、変動しても構わないので、リミット電圧により、レーザダイオード２２の順方向電流の増加を抑えれば、過剰電流によるレーザダイオード２２の破壊を防止することができる。
【００３６】
図４は本実施形態においてレーザダイオードの周囲温度の変化によりリミッタのリミット電圧を変化させるレーザダイオード制御回路の動作を説明するためのフローチャートである。このフローチャートおよび図１〜図３を参照してレーザダイオードの周囲温度の変化により、リミッタのリミット電圧を変化させるレーザダイオード制御回路の動作について説明する。
【００３７】
図示しないリモコンにより、例えば再生操作がされると、マイコン５は、ＬＤ（レーザダイオード）駆動要求があったことを検知し（ステップＳ１）、レーザダイオード制御回路１を制御し、前述した動作により、光ピックアップユニット２１のレーザダイオード２２を駆動させる（ステップＳ２）。温度センサ２５は、レーザダイオード２２の周囲温度を検知し、温度検知信号を出力する。Ａ／Ｄポート６は、入力端子１７を介して温度検知信号を取得して、デジタルの温度検知データに変換する（ステップＳ３）。
【００３８】
ＣＰＵ１３は、Ａ／Ｄポート６からの温度検知データを入力する。このときの温度検知データが示す温度が２５℃（常温）であったと仮定すると、出力端子１６から出力されるリミット電圧が例えば２．４Ｖになるように、ＲＡＭ１５のアドレス０ｘ０００Ａに、このときの温度検知データとして０ｘ００００を格納する。これにより、レジスタ制御回路４は、温度検知データ０ｘ００００に応じたレジスタを可変基準電圧設定回路１２より選択して、出力端子１６から出力されるリミット電圧を２．４Ｖに設定する（ステップＳ４）。したがって、このときは、トランジスタ２０は、レーザダイオード２２に規格内の適切な順方向電流を流すので、レーザダイオード２２は、過剰電流により破壊されるようなことはない。
【００３９】
そして、レーザダイオード２２が駆動している間に周囲温度が上昇していき、ＣＰＵ１３は、Ａ／Ｄポート６からの温度検知データを入力し、レーザダイオード２２の周囲温度が２５℃（常温）より上がり、例えば、５０℃になったことを検知すると（ステップＳ５）、出力端子１６から出力されるリミット電圧が例えば２．２Ｖになるように、ＲＡＭ１５のアドレス０ｘ０００Ａに、このときの温度検知データとして０ｘ０００１を格納する。
【００４０】
これにより、レジスタ制御回路４は、温度検知データ０ｘ０００１に応じたレジスタを可変基準電圧設定回路１２より選択して、出力端子１６から出力されるリミット電圧を２．２Ｖに設定する（ステップＳ６）。周囲温度が上昇すると、レーザダイオード２２に多くの順方向電流を流そうとするが、リミット電圧が２．５Ｖから２．２Ｖに低下するため、レーザダイオード２２の順方向電流を制限することができ、これにより、レーザダイオード２２は、過剰電流により破壊されるようなことはない。
【００４１】
そして、レーザダイオード２２が駆動している間に周囲温度が更に上昇していき、ＣＰＵ１３は、Ａ／Ｄポート６からの温度検知データを入力し、レーザダイオード２２の周囲温度が、例えば７０℃になったことを検知すると（ステップＳ７）、出力端子１６から出力されるリミット電圧が例えば２．０Ｖになるように、ＲＡＭ１５のアドレス０ｘ０００Ａに、このときの温度検知データとして０ｘ０００２を格納する。
【００４２】
これにより、レジスタ制御回路４は、温度検知データ０ｘ０００２に応じたレジスタを可変基準電圧設定回路１２より選択して、出力端子１６から出力されるリミット電圧を２．０Ｖに設定する（ステップＳ８）。周囲温度が上昇して、レーザダイオード２２に多くの順方向電流を流そうとするが、リミット電圧が２．２Ｖから２．０Ｖに低下するため、周囲温度が上昇してもレーザダイオード２２の順方向電流を制限することができ、これにより、レーザダイオード２２は、過剰電流により破壊されるようなことはない。
【００４３】
以上説明したように本実施形態によれば、周囲温度も考慮して、レーザダイオード２２の駆動電流を制限するためのリミット電圧を常に最適にすることができる。即ち、周囲温度が上昇して、レーザダイオード２２に多くの順方向電流を流そうとするが、リミット電圧が低下するため、レーザダイオード２２の順方向電流を制限することができる。したがって、レーザダイオード２２は、過剰電流により破壊されるようなことはない。また、周囲温度も考慮して、リミット電圧を変化させることができるので、周囲温度を考慮しない場合において、常温状態では、意味を成さなかったリミット電圧が効くようになり、レーザダイオード２２の破壊を起こり難くする。また、回路構成は簡単であるので、光ディスク装置のコストダウンを図れる。また、レーザダイオードへの供給電流が遮断されるようなことはないので、光ディスク装置は、再生動作を効率良く行うことができる。
【００４４】
なお、温度センサ２５を具備していない従来の光ディスク装置では、光ピックアップユニット２１のレーザダイオード２２に過剰の順方向電流を流すことを防ぐために、トランジスタ２０にリミッタ電圧を印加している。しかし、レーザダイオード２２に流れる順方向電流は、温度によって変化するため、常温時のリミット電圧よりマージンを見込んで、設計する必要があり、本来、常温でレーザダイオード２２が破壊される順方向電流をリミット電圧で防ぐことが出来ない。つまり、この種の従来の光ディスク装置では、温度センサが無いので、使用する環境で最も温度が低い状態でのリミッタ値が設定されているので、常温状態ではリミッタとしての機能が働かないので、常温でレーザダイオード２２が破壊される順方向電流を前記設定されたリミット電圧で防ぐことが出来ない。
【００４５】
したがって、本実施形態では、温度センサ２５をレーザダイオード２２の近傍に配置し、マイコン５は、Ａ／Ｄポート６を介して、レーザダイオード２２からの温度検知信号に基づく温度検知データを取得し、この温度検知データに応じて、リミッタ３から出力されるリミット電圧を変化させるようにして、前記従来の不具合を解消するようにしている。
【産業上の利用可能性】
【００４６】
本発明は、ＤＶＤプレイヤやＤＶＤレコーダなどの光ディスク装置に備えられている光ピックアップユニットのレーザダイオードの駆動電流を制御するレーザダイオード制御回路に利用可能である。
【図面の簡単な説明】
【００４７】
【図１】本発明の一実施形態に係るレーザダイオード制御回路および光ピックアップユニットの構成を示すブロック図である。
【図２】図１で示したレーザダイオード制御回路の詳細な回路構成および光ピックアップユニットの回路構成を示すブロック図である。
【図３】前記実施形態においてレーザダイオードの周囲温度における順方向電流に対する光出力特性を説明するための図である。
【図４】前記実施形態においてレーザダイオードの周囲温度の変化によりリミッタのリミット電圧を変化させるレーザダイオード制御回路の動作を説明するためのフローチャートである。
【符号の説明】
【００４８】
１    レーザダイオード制御回路
２    増幅器（増幅手段）
３    リミッタ
４    レジスタ制御回路（レジスタ制御手段）
５    マイコン（データ処理手段）
６    Ａ／Ｄポート（アナログ／デジタル変換手段）
２０    トランジスタ（駆動素子）
２１    光ピックアップユニット
２２    レーザダイオード
２３    フォトダイオード
２５    温度センサ
【図１】
2008108363.tif 000003
【図２】
2008108363.tif 000004
【図３】
2008108363.tif 000005
【図４】
2008108363.tif 000006